(57)【要約】【課題】  傾きの度合いによる地磁気センサの出力値を用いて入力信号を生成するユーザ入力装置、およびこの入力信号の生成方法を提供する。【解決手段】  ユーザ入力装置は、ユーザからの要請に応じてディスプレイ装置の画面上のポインタを所定の位置に移動させるための入力信号を生成する地磁気センサを用いたユーザ入力装置において、地磁気により誘導され、傾き状態に対応するＸ軸およびＹ軸の電圧値をそれぞれデジタル化し所定の大きさレベルにして出力する地磁気センサと、地磁気センサの出力値、ポインタの現座標、および画面の中心座標が記憶されるメモリ、および地磁気センサの出力レベルを制御し、Ｘ軸およびＹ軸の出力値を用いて傾き状態に対応するポインタの新座標を算出し、ポインタの新座標情報に対応する信号をディスプレイ装置に出力する制御部とを含む。【選択図】        図４
2005228324.tif 000002
【特許請求の範囲】
【請求項１】
ユーザからの要請に応じてディスプレイ装置の画面上のポインタを所定の位置に移動させるための入力信号を生成する地磁気センサを用いたユーザ入力装置において、
地磁気により誘導され、傾き状態に対応するＸ軸およびＹ軸の電圧値をそれぞれデジタル化し所定の大きさレベルにして出力する地磁気センサと、
前記地磁気センサの出力値、前記ポインタの現座標、および前記画面の中心座標が記憶されるメモリと、
前記地磁気センサの出力レベルを制御し、前記Ｘ軸およびＹ軸の出力値を用いて前記傾き状態に対応する前記ポインタの新座標を算出し、前記ポインタの新座標情報に対応する信号を前記ディスプレイ装置に出力する制御部と、
を含むことを特徴とする地磁気センサを用いたユーザ入力装置。
【請求項２】
前記地磁気センサの出力値が整数であることを特徴とする請求項１に記載の地磁気センサを用いたユーザ入力装置。
【請求項３】
前記制御部は、前記地磁気センサを水平状態から回転させた時、前記Ｘ軸およびＹ軸の出力値からそれぞれの最大値と最小値との平均値にて定義されるバイアス値を算出し前記メモリに記憶することを特徴とする請求項２に記載の地磁気センサを用いたユーザ入力装置。
【請求項４】
前記バイアス値が前記画面の中心座標に対応するようにすることを特徴とする請求項３に記載の地磁気センサを用いたユーザ入力装置。
【請求項５】
前記ポインタの新座標を、
ｍｘ＝ｃｘ＋ｎｘ−ｆｘ＿ｂｉａｓ
ｍｙ＝ｃｙ＋ｎｙ−ｆｙ＿ｂｉａｓ
（前記式中、（ｃｙ、ｃｙ）は画面の中心座標を表し、（ｎｘ、ｎｙ）は地磁気センサのＸ軸およびＹ軸の出力値を表し、（ｆｘ＿ｂｉａｓ、ｆｙ＿ｂｉａｓ）はバイアス値を表す）
を用いて算出することを特徴とする請求項４に記載の地磁気センサを用いたユーザ入力装置。
【請求項６】
前記制御部は、前記ポインタの新座標に対応する信号を前記ディスプレイ装置に出力した後、前記新座標を前記現座標に更新することを特徴とする請求項１に記載の地磁気センサを用いたユーザ入力装置。
【請求項７】
前記地磁気センサ部は、
所定の駆動パルスを発生し、前記駆動パルスによって電圧を生成する駆動信号発生部と、
前記電圧を印加されて、地球磁界によるＸ軸およびＹ軸に対するアナログ信号を電圧値にして出力する２軸フラックスゲートと、
前記電圧値を増幅してデジタル値に変換する信号処理部と、
を含むことを特徴とする請求項１に記載の地磁気センサを用いたユーザ入力装置。
【請求項８】
ユーザからの要請に応じてディスプレイ装置の画面上のポインタの位置を制御するための地磁気センサを用いたユーザ入力装置の入力信号の生成方法において、
（ａ）前記画面の中心座標をメモリに記憶するステップと、
（ｂ）前記入力装置を水平状態から回転させて前記地磁気センサのＸ軸およびＹ軸の出力値のそれぞれの最大値と最小値との平均値にて定義されるバイアス値を算出し前記メモリに記憶するステップと、
（ｃ）前記入力装置の傾きに対応するＸ軸およびＹ軸の出力値を測定するステップと、
（ｄ）前記入力装置の傾きに対応する前記ポインタの新座標を前記Ｘ軸およびＹ軸の出力値を用いて算出するステップと、
を含むことを特徴とする地磁気センサを用いたユーザ入力装置の入力信号の生成方法。
【請求項９】
（ｅ）前記ポインタの新座標情報に関する信号を前記ディスプレイ装置に出力するステップを更に含むことを特徴とする請求項８に記載の地磁気センサを用いたユーザ入力装置の入力信号の生成方法。
【請求項１０】
前記地磁気センサの出力値が整数であることを特徴とする請求項８に記載の地磁気センサを用いたユーザ入力装置の入力信号の生成方法。
【請求項１１】
前記バイアス値が前記画面の中心座標に対応するようにすることを特徴とする請求項８に記載の地磁気センサを用いたユーザ入力装置の入力信号の生成方法。
【請求項１２】
前記ポインタの新座標を、
ｍｘ＝ｃｘ＋ｎｘ−ｆｘ＿ｂｉａｓ
ｍｙ＝ｃｙ＋ｎｙ−ｆｙ＿ｂｉａｓ
（前記式中、（ｃｙ、ｃｙ）は画面の中心座標を表し、（ｎｘ、ｎｙ）は地磁気センサのＸ軸およびＹ軸の出力値を表し、（ｆｘ＿ｂｉａｓ、ｆｙ＿ｂｉａｓ）はバイアス値を表す）
を用いて算出することを特徴とする請求項１１に記載の地磁気センサを用いたユーザ入力装置の入力信号の生成方法。
【発明の詳細な説明】
【技術分野】
【０００１】
本発明は、ユーザからの要請に応じてディスプレイ装置の画面上のポインタの位置を移動させるための入力信号を生成するユーザ入力装置、およびこの入力信号の生成方法に係り、地磁気センサのＸ軸およびＹ軸の出力値を用いてユーザ入力装置の傾き方向および度合いに対応するポインタの位置座標を算出し、これを入力信号として出力するユーザ入力装置、およびこの入力信号の生成方法に関する。
【背景技術】
【０００２】
近年、電子技術およびネットワーク通信技術の発達に伴い、携帯電話、ＰＤＡ、ノートブックなどの各種の電子製品が広範囲に普及されている。近年の電子製品は、概ねゲーム、文字サービス、メモ帳機能などの各種の機能を備えており、ユーザは、これらの電子製品に設けられた入力手段を用いてその機能を活用することができる。しかし、これらの携帯用電子機器は、ＰＣやその他のゲーム機器のようにマウス、ジョイスティック、キーボードなどの様々な入力手段を設けることができないというハードウェア的な制約を包含している。
【０００３】
かかるハードウェア的な制約を克服するために、タッチスクリーンが入力手段として広く使用されている。タッチスクリーンは、図１に示すようにＸ座標用圧電層１０、スペーサ２０、およびＹ座標用圧電層３０を含んでなり、スクリーンの表面の加えられる圧力に反応するセンサ列をＸ座標用圧電層１０およびＹ座標用圧電層３０に密に設け、圧力が加えられる場合にその位置を座標として求めるのである。この種のタッチスクリーン方式のユーザ入力装置は、指先やボール形状のタッチペンを用いてスクリーンに直接触れると、所定の素子がこの触れられた部分を認知して指令を行うか、カーソルの位置を移動させるように設計される。
【０００４】
現状、このような方法が多用されているものの、精度の面で多少落ちるという不具合がある。また、タッチスクリーン方式は、圧力感知用基板およびアナログ／デジタルコンバータなどのハードウェアが要求され、これは、ディスプレイ窓の明るさを低下させるという問題点がある。
【発明の開示】
【発明が解決しようとする課題】
【０００５】
本発明は、前述のような問題点を解決するためになされたものであって、地磁気センサを用いて実現され、傾きが発生すると、その傾きの度合いによって誘導される地磁気センサのＸ軸およびＹ軸の出力値を用いてポインタの位置座標を算出し、これを入力信号として出力する入力装置、およびこの入力信号の生成方法を提供することを目的とする。
【課題を解決するための手段】
【０００６】
本発明によるユーザ入力装置は、ユーザからの要請に応じてディスプレイ装置の画面上のポインタを所定の位置に移動させるための入力信号を生成する地磁気センサを用いたユーザ入力装置において、地磁気により誘導され、傾き状態に対応するＸ軸およびＹ軸の電圧値をそれぞれデジタル化し所定の大きさレベルにして出力する地磁気センサと、前記地磁気センサの出力値、前記ポインタの現座標、および前記画面の中心座標が記憶されるメモリ、および前記地磁気センサの出力レベルを制御し、前記Ｘ軸およびＹ軸の出力値を用いて前記傾き状態に対応する前記ポインタの新座標を算出し、前記ポインタの新座標情報に対応する信号を前記ディスプレイ装置に出力する制御部とを含む。
【０００７】
ここで、前記地磁気センサのＸ軸およびＹ軸の出力値が整数になるように制御することが好ましい。
前記制御部は、前記地磁気センサを水平状態から回転させた時、前記Ｘ軸およびＹ軸の出力値からそれそれの最大値と最小値との平均値にて定義されるバイアス値を算出し前記メモリに記憶する。そして、前記バイアス値が前記画面の中心座標に対応するようにすることが好ましい。
【０００８】
一方、前記ポインタの新座標は、次式を用いて算出することができる。
ｍｘ＝ｃｘ＋ｎｘ−ｆｘ＿ｂｉａｓ
ｍｙ＝ｃｙ＋ｎｙ−ｆｙ＿ｂｉａｓ
ただし、前記式中、（ｃｙ、ｃｙ）は画面の中心座標を表し、（ｎｘ、ｎｙ）は地磁気センサのＸ軸およびＹ軸の出力値を表し、（ｆｘ＿ｂｉａｓ、ｆｙ＿ｂｉａｓ）はバイアス値を表す。
【０００９】
好ましくは、前記制御部は、前記ポインタの新座標情報に対応する信号を前記ディスプレイ装置に出力した後、前記新座標を前記現座標に更新する。
前記地磁気センサ部は、所定の駆動パルスを発生し、前記駆動パルスによって電圧を生成する駆動信号発生部と、前記電圧を印加されて、地球磁界によるＸ軸およびＹ軸に対するアナログ信号を電圧値にして出力する２軸フラックスゲート、および前記電圧値を増幅してデジタル値に変換する信号処理部とを含む。
【００１０】
本発明によるユーザ入力装置の入力信号の生成方法は、ユーザからの要請に応じてディスプレイ装置の画面上のポインタの位置を制御するための地磁気センサを用いたユーザ入力装置の入力信号の生成方法において、（ａ）前記画面の中心座標をメモリに記憶するステップと、（ｂ）前記入力装置を水平状態から回転させて前記地磁気センサのＸ軸およびＹ軸の出力値のそれぞれの最大値と最小値との平均値にて定義されるバイアス値を算出し前記メモリに記憶するステップと、（ｃ）前記入力装置の傾きに対応するＸ軸およびＹ軸の出力値を測定するステップ、および（ｄ）前記入力装置の傾きに対応する前記ポインタの新座標を前記Ｘ軸およびＹ軸の出力値を用いて算出するステップとを含む。
【００１１】
そして、入力信号の生成方法は、（ｅ）前記ポインタの新座標情報に関する信号を前記ディスプレイ装置に出力するステップを更に含むことができる。
好ましくは、前記地磁気センサの出力値は整数になるようにし、前記バイアス値が前記画面の中心座標に対応するように制御する。
【００１２】
一方、前記ポインタの新座標は、前記式を用いて算出することができる。
【発明の効果】
【００１３】
本発明によれば、ユーザが地磁気センサを含むユーザ入力装置を所定の方向に傾ければ、その傾き方向および度合いに対応する地磁気センサのＸ軸およびＹ軸の出力値からディスプレイ装置の画面のカーソルが表示される座標を算出し、ユーザからの指令に対応する入力信号を生成することができる。結果として、本発明による入力装置は、携帯電話、ＰＤＡなどの小型電子機器に適用され、ゲーム、画面制御などの各種のサービスを提供することができるようにする。
【発明を実施するための最良の形態】
【００１４】
以下、添付した図面を参照して、本発明についてより詳細に説明する。
本発明によるユーザ入力装置は、ディスプレイ装置の画面のカーソルを所望する位置に移動させるようにするユーザからの指令に対応する入力信号を生成してディスプレイ装置に出力する。ユーザは、画面を見ながら地磁気センサが組み込まれたユーザ入力装置をカーソルを移動させたい方向に傾ける。そうすると、ユーザ入力装置は、その傾きに対応するカーソルの新座標値を算出してディスプレイ装置に出力する。
【００１５】
図２は、本発明の１実施例であって、地磁気センサを用いるユーザ入力装置の構成を示すブロック図である。同図に示すように、ユーザ入力装置は、地磁気センサ１１０、制御部１２０、メモリ１３０、およびキー入力部１４０を含む。
【００１６】
地磁気センサ１１０は、一般に、携帯用電子機器に組み込まれて計測地点の地磁気を測定しその地点の方位を算出することにより、羅針盤機能または携帯用電子機器などに表示される地図情報を提供するなど、様々な用途として使われている。
【００１７】
本発明では、２軸フラックスゲート地磁気センサを用いる。フラックスゲート地磁気センサは、他の各種の地磁気センサに比べて、感度に優れ、経済的であり、且つ相対的に小型で作製することができるという長所がある。また、省エネルギーであり、出力信号の安定度（ｌｏｎｇ-ｔｅｒｍ  ｓｔａｂｉｌｉｔｙ）に優れているという長所も併せ持っている。
【００１８】
本発明の１実施例として提示された２軸フラックスゲート地磁気センサ１１０は、駆動信号生成部１１１、２軸フラックスゲート１１３、および信号処理部１１５からなる。
駆動電圧生成部１１１は、駆動パルス発生回路とコイル駆動用電流増幅回路から構成される。駆動パルス発生回路では、２軸フラックスゲートが駆動できる駆動パルスを生成した後、これを選択的にスイッチングしてコイル駆動用電流増幅回路に印加する役割を果たす。コイル駆動用電流増幅回路は、複数の増幅器およびインバータを使用することにより駆動パルス発生回路を介して出力されたパルスに対し相互に逆の位相を有するパルス信号および反転パルス信号を出力する。
【００１９】
２軸フラックスゲート１１３は、相互直交するＸ軸およびＹ軸フラックスゲートを含み、Ｘ軸およびＹ軸フラックスゲートにそれぞれ送られたパルス信号および反転パルス信号により駆動され、この駆動により発生した起電力に対応する検出信号を出力する。Ｘ軸およびＹ軸フラックスゲート１１３は、四角リング状の２つの磁性体コアがそれぞれＸ、Ｙ軸の２方向に沿って長く延在し、磁性体コアのそれぞれには、駆動コイルおよび検出コイルが巻き付けられている。駆動コイルに駆動パルスが印加されると、Ｘ軸およびＹ軸フラックゲートに磁気が発生し、これによる誘導起電力を検出コイルを介して検出することができるようになる。
【００２０】
信号処理部１１５は、チョッピング（Ｃｈｏｐｐｉｎｇ）回路、第１次増幅回路、低周波フィルタ、第２次増幅回路、およびＡ／Ｄコンバータを含む。２軸フラックスゲート１１３から検出された電気的信号は、チョッピング回路で組み込まれている複数のスイッチを制御することでチョッピングするようになる。チョッピングされた電気的信号は、第１次増幅回路で差動増幅された後、低周波フィルタを通ることで一定の範囲の信号だけがフィルタリングされ、第２次増幅回路で最終的に増幅されるようになる。増幅された信号は、Ａ／Ｄコンバータでデジタル電圧値に変換し出力するようになる。
【００２１】
制御部１２０は、Ａ／Ｄコンバータから出力されるデジタル電圧値が所定の振幅とオフセットを有するようにＡ／Ｄコンバータを監視しながら第２次増幅回路の利得を調節する。Ａ／Ｄコンバータから出力されるデジタル電圧値は、ディスプレイ装置の画面の座標に対応するレベルの整数値を有するようにすることが好ましい。
【００２２】
まず、地磁気センサ１１０をカーソルを移動させるための入力装置として用いるに先立って、地磁気センサ１１０の出力値から方位角を求めて羅針盤機能を行うためには１回の正規化過程を経る必要がある。以下、この正規化過程について簡略に説明する。
【００２３】
水平に位置させた地磁気センサ１１０を１回以上回転させながら地磁気センサ１１０のＸ軸の出力値ｆｘとＹ軸の出力値ｆｙを監視してその最大値ｆｘ＿ｍａｘと最小値ｆｘ＿ｍｉｎを取得し、これをＥＥＰＲＯＭのようなメモリ１３０の所定の位置に記憶する。最大値ｆｘ＿ｍａｘおよび最小値ｆｘ＿ｍｉｎを用いて補正を行う過程で最大値ｆｘ＿ｍａｘに最小値ｆｘ＿ｍｉｎを足して２で割った値、即ち、両値の平均値をバイアス値（ｆｘ＿ｂｉａｓ＝（ｆｘ＿ｍａｘ＋ｆｘ＿ｍｉｎ）／２）と定義し、両値の差を２で割った値をスケール・ファクタ値（ｆｘ＿ｓｃａｌｅ＝（ｆｘ＿ｍａｘ＋ｆｘ＿ｍｉｎ）／２）と定義する。地磁気センサ１１０の信号を(１の間の値に正規化するために現在の出力値からバイアス値を差し引いてからスケール・ファクタ値で割る。このようにしてフラックスゲート感知装置から信号を得る度に各軸に対し正規化された値を得る。
【００２４】
正規化される出力値は、水平状態ではない傾きに対しその値が変化するようになる。傾けられる時も正規化がなされるためには伏角値分を考慮しなければならないため、前もって正規化された値に伏角のｃｏｓ値分を掛ける。従って、センサの感知軸が伏角方向に合致する時は最大値の１を有し、その逆の時は−１の値を有するように正規化される。
【００２５】
前記正規化過程の終了後にユーザ入力装置の初期化過程を行う。まず、使用するディスプレイ装置の画面の横、縦値を２で割った中心座標値ｃｘ、ｃｙをメモリ１３０に記憶する。
【００２６】
次いで、本ユーザ入力装置を水平状態から１回転する時の地磁気センサ１１０のコサイン波形のＸ軸の出力値ｆｘおよびサイン波形のＹ軸の出力値ｆｙを得る。図３ａは、Ｘ軸の出力値ｆｘおよびＹ軸の出力値ｆｙを示す図である。同図に示すように、Ｘ軸の出力値ｆｘおよびＹ軸の出力値ｆｙは、Ａ地点を中心にする円上のそれぞれの点にて表され、Ｂ地点がＸ軸の出力の最大値ｆｘ＿ｍａｘ、Ｄ地点がＸ軸の出力の最小値ｆｘ＿ｍｉｎ、Ｃ地点がＹ軸の出力の最大値ｆｙ＿ｍａｘ、Ｅ地点がＹ軸の出力の最小値ｆｙ＿ｍｉｎを表す。
【００２７】
Ａ地点の値は、Ｘ軸およびＹ軸の出力の最大値ｆｘ＿ｍａｘ、ｆｙ＿ｍａｘと最小値ｆｘ＿ｍｉｎ、ｆｙ＿ｍｉｎのそれぞれの平均値であって、バイアス値（ｆｘ＿ｂｉａｓ＝（ｆｘ＿ｍａｘ＋ｆｘ＿ｍｉｎ）／２、ｆｙ＿ｂｉａｓ＝（ｆｙ＿ｍａｘ＋ｆｙ＿ｍｉｎ）／２）と定義する。制御部１２０は、信号処理部１１５から出力されるデジタル出力値の最大値および最小値からバイアス値を算出し、この算出した値をメモリ１３０に記憶する。
【００２８】
図３ｂは、ディスプレイ装置の画面２００を示している。前述のようにして算出したバイアス値ｆｘ＿ｂｉａｓ、ｆｙ＿ｂｉａｓをディスプレイ装置の画面の中心座標ｃｘ、ｃｙに対応されるように整合する。
【００２９】
ユーザがディスプレイ装置の画面２００を見ながら画面上のカーソルを所望する位置に移動させたい時、ユーザは、移動させたい方向にユーザ入力装置を傾けることでカーソルを動かすことができる。
【００３０】
地磁気センサ１００の傾き方向およびその度合いによって地磁気センサ１１０の出力値は変わる。制御部１２０は、メモリ１３０に記憶してあるｎｘ、ｎｙを所定の傾きに応じた地磁気センサ１１０の出力値ｆｘ、ｆｙにそれぞれ更新する。
【００３１】
制御部１２０は、カーソルの新しい座標値を、次の数式１を用いて算出する。
ｍｘ＝ｃｘ＋ｎｘ−ｆｘ＿ｂｉａｓ
ｍｙ＝ｃｙ＋ｎｙ−ｆｙ＿ｂｉａｓ    ・・・（数式１）
カーソルは、ユーザの希望に応じて新座標ｍｘ、ｍｙ上に表示されるようになる。以前のカーソルを消して新しいカーソルを表示する際に用いるために、メモリ１３０のｏｍｘ、ｏｍｙをカーソルの新座標ｍｘ、ｍｙにそれぞれ更新する。
【００３２】
図４は、本発明の他の実施例であって地磁気センサを用いたユーザ入力装置の入力信号の生成方法を説明するために提供されるフローチャートである。
まず、正規化過程を終了した後、制御部１２０は、画面の横／縦値を２で割った画面の中心座標値ｃｘ、ｃｙをメモリ１３０に記憶する（Ｓ３１０）。
【００３３】
次いで、地磁気センサ１１０を含むユーザ入力装置を水平状態から１回転させる。そうすると、地磁気センサ１１０は、地磁気により誘導されるＸ軸およびＹ軸の信号を感知し、整数の電圧値を出力する。
【００３４】
Ｘ軸およびＹ軸の出力の最大値ｆｘ＿ｍａｘ、ｆｙ＿ｍａｘと最小値ｆｘ＿ｍｉｎ、ｆｙ＿ｍｉｎのそれぞれの平均値であるバイアス値（ｆｘ＿ｂｉａｓ＝（ｆｘ＿ｍａｘ＋ｆｘ＿ｍｉｎ）／２、ｆｙ＿ｂｉａｓ＝（ｆｙ＿ｍａｘ＋ｆｙ＿ｍｉｎ）／２）を算出し、この算出したバイアス値をメモリ１３０に記憶する（Ｓ３２０）。
【００３５】
Ｓ３１０およびＳ３２０ステップが完了した状態でユーザ入力装置を所定の方向に傾ける。そうすると、地磁気センサ１１０は、傾き方向および傾き度合いに対応するＸ軸の出力値ｆｘおよびＹ軸の出力値ｆｙを制御部１２０に送る（Ｓ３３０）。制御部１２０でメモリ１３０の出力値ｎｘ、ｎｙを送られたＸ軸の出力値ｆｘおよびＹ軸の出力値ｆｙに更新する（Ｓ３４０）。
【００３６】
制御部１２０は、メモリ１３０に記憶してある中心座標値ｃｘ、ｃｙ、バイアス値ｆｘ＿ｂｉａｓ、ｆｙ＿ｂｉａｓおよび地磁気センサ１１０の出力値ｎｘ、ｎｙを読み出し、前記式１を用いてカーソルの新座標値ｍｘ、ｍｙを算出する（Ｓ３５０）。算出した新座標値ｍｘ、ｍｙは、ディスプレイ装置に送られて以前のカーソルを消し、算出した座標値ｍｘ、ｍｙ上にカーソルが表示されるようにする（Ｓ３６０）。また、メモリ１３０に記憶してある現座標値ｏｍｘ、ｏｍｙを前記算出した新座標値ｍｘ、ｍｙに更新する（Ｓ３７０）。
【００３７】
一方、ユーザ入力装置を所望する方向に傾けることでカーソルを移動させ、キー入力部１４０に設けられたボタンと組み合わせてクリックまたはダブルクリックの機能も行うことができる。
【００３８】
以上、本発明の好適な実施例について図示し説明したが、本発明は、上述した特定の実施例に限定されるものではなく、特許請求の範囲で請求する本発明の要旨を逸脱することなく当該発明の属する技術分野における通常の知識を有する者により種々の変形実施が可能であることはもとより、かかる変形実施を本発明の技術的思想や展望とは別個に理解してはいけない。
【産業上の利用可能性】
【００３９】
ユーザからの要請に対応する入力信号を生成するユーザ入力装置に適用される。
【図面の簡単な説明】
【００４０】
【図１】従来のタッチスクリーン方式のユーザ入力装置を示す図である。
【図２】本発明による地磁気センサを用いたユーザ入力装置の構成を示すブロック図である。
【図３ａ】本発明によるユーザ入力装置を水平状態から回転させた時のＸ軸の出力値およびＹ軸の出力値を示す図である。
【図３ｂ】図３ａに示すバイアス値に対応するディスプレイ装置の画面の中心座標にカーソルが位置していることを示す図である。
【図４】本発明による地磁気センサを用いたユーザ入力装置の入力信号の生成方法を説明するためのフローチャートである。
【符号の説明】
【００４１】
１１０  地磁気センサ
１１１  駆動信号生成部
１１３  ２軸フラックスゲート
１１５  信号処理部
１２０  制御部
１３０  メモリ
１４０  キー入力部
【図１】
2005228324.tif 000003
【図２】
2005228324.tif 000004
【図３ａ】
2005228324.tif 000005
【図３ｂ】
2005228324.tif 000006
【図４】
2005228324.tif 000007